(57)【要約】【課題】ウッドクラブ用とアイアンクラブ用の２種類の支持具を製造することによるコストを低減することが可能なゴルフクラブ用支持具を提供する。【解決手段】支持バーＢに取り付けられ、ゴルフクラブのヘッドを懸架した状態で支持するためのゴルフクラブ用支持具１であって、支持具本体１０と、支持具本体１０の一端側に形成されウッドクラブＷを支持可能なウッドクラブ支持部（第１の支持部２０）と、支持具本体１０のうち第１の支持部２０とは反対端側に形成され、ウッドクラブと同一の利き手のアイアンクラブＩを支持可能なアイアンクラブ支持部（第２の支持部３０）と、第１の支持部２０と第２の支持部３０のいずれか一方を上側にして支持バーＢに取り付け可能な取付孔１１と、を備える。【選択図】図１
2015136511.tif 000002
【特許請求の範囲】
【請求項１】
支持部材に取り付けられ、ゴルフクラブのヘッドを懸架した状態で支持するためのゴルフクラブ用支持具であって、
支持具本体と、
前記支持具本体の一端側に形成されウッドクラブを支持可能なウッドクラブ支持部と、
前記支持具本体のうち前記ウッドクラブ支持部とは反対端側に形成され、前記ウッドクラブと同一の利き手のアイアンクラブを支持可能なアイアンクラブ支持部と、
前記ウッドクラブ支持部と前記アイアンクラブ支持部のいずれか一方を上側にして前記支持部材に取り付け可能な支持部材取付部と、を備えることを特徴とするゴルフクラブ用支持具。
【請求項２】
前記ウッドクラブ支持部は、前記ウッドクラブのヘッドを支持するヘッド支持部と、該ヘッドの動きを規制するヘッド規制部と、を備えることを特徴とする請求項１に記載のゴルフクラブ用支持具。
【請求項３】
前記アイアンクラブ支持部は、前記アイアンクラブのヘッドを支持するヘッド支持部と、該ヘッドの動きを規制するヘッド規制部と、を備えることを特徴とする請求項１又は２に記載のゴルフクラブ用支持具。
【請求項４】
前記ウッドクラブ支持部と前記アイアンクラブ支持部とはほぼ同形状であり、両支持部を結ぶ直線に垂直な平面に対して面対称となる位置に配置されていることを特徴とする請求項１〜３のいずれかに記載のゴルフクラブ用支持具。
【請求項５】
前記ウッドクラブ支持部及び前記アイアンクラブ支持部はいずれも、
底部と、
前記底部から起立した第１の支持板と、
前記底部から起立し前記第１の支持板に対向して配置された第２の支持板と、
前記第２の支持板の側方に位置する突起と、
前記底部から起立し前記第１の支持板から前記第２の支持板にかけて底部側に傾斜した傾斜部及び前記底部とほぼ平行な頂端を有する平坦部を有する傾斜板と、を備えており、
前記第１の支持板、前記第２の支持板及び前記平坦部により前記ウッドクラブのネック側のヘッドが支持されるとともに、前記突起が前記ヘッドのフェースに対向して位置することでヘッドの動きを規制し、
前記第１の支持板、前記第２の支持板及び前記平坦部により前記アイアンクラブのネック側のヘッドが支持されるとともに、前記傾斜部が前記ヘッドのフェースに対向して位置することでヘッドの動きを規制することを特徴とする請求項４に記載のゴルフクラブ用支持具。
【発明の詳細な説明】
【技術分野】
【０００１】
本発明は、例えばスポーツ用品店などでゴルフクラブを展示等するために用いられるゴルフクラブ用支持具に関する。
【背景技術】
【０００２】
ゴルフショップなどでは、ウッドクラブ（ドライバー）やアイアンクラブなどのゴルフクラブが展示棚などに展示されている。ゴルフクラブの展示には、ゴルフクラブのヘッドを懸架させて展示するためのゴルフクラブ用支持具が用いられている。従来、このようなゴルフクラブ用支持具として、第１〜第３支持部によってゴルフクラブを支持するゴルフクラブ用支持具が知られている（特許文献１）。また、フック部材の上下を反対にして連結部材に連結することによって、左利き用と右利き用を変換させる展示用支持装置も知られている（特許文献２）。これらの部材は、いずれも展示用の支持バー（ステー）に取り付けられた状態で使用される。
【先行技術文献】
【特許文献】
【０００３】
【特許文献１】国際公開第２００９／１１３３３６号（請求項１など）
【特許文献２】特開２００８−８００８０号公報（請求項１、段落０００９など）
【発明の概要】
【発明が解決しようとする課題】
【０００４】
ゴルフクラブには、ウッドクラブとアイアンクラブとがあり、それぞれヘッド部の形状が異なる。また、ゴルフクラブを展示する際にヘッドの先端側（トゥ）が支持バーの外側を向くと、支持バーの外側に展示領域が広がってしまうため、展示スペースを余分に広く確保する必要が生じる。一方で、客から見たときにヘッドが見えやすいようにゴルフクラブを配置する必要もある。このため、一般に、ウッドクラブはフェースが支持バーとほぼ平行となるように配置され（特許文献２の図８の状態）、アイアンクラブはフェースが支持バーとほぼ垂直となるように配置される（特許文献２の図１０の状態）。
【０００５】
従来のゴルフクラブ用支持具は、アイアンクラブ用とウッドクラブ用の少なくとも２種類が必要であった。特許文献２にも、ウッド、アイアン、更にはパターの３種類のゴルフクラブの展示装置が必要であることが記載されている（段落０００９）。しかしながら、ウッドクラブ用とアイアンクラブ用の２種類のゴルフクラブ用支持具を製造する場合、２種類の支持具用の製造ラインが必要であることから、製造コストが増加する。また、２種類のゴルフクラブ用支持具を製造する場合、メーカー側ではゴルフクラブ用支持具の在庫管理コストが、店舗側では展示に使用しないゴルフクラブ用支持具の保管コストがかかる。
【０００６】
本発明の目的は、ウッドクラブ用とアイアンクラブ用の２種類の支持具を製造することによるコストを低減することが可能なゴルフクラブ用支持具を提供することにある。
【課題を解決するための手段】
【０００７】
上記の目的を達成するため、本発明のゴルフクラブ用支持具は、支持部材に取り付けられ、ゴルフクラブのヘッドを懸架した状態で支持するためのゴルフクラブ用支持具であって、支持具本体と、前記支持具本体の一端側に形成されウッドクラブを支持可能なウッドクラブ支持部と、前記支持具本体のうち前記ウッドクラブ支持部とは反対端側に形成され、前記ウッドクラブと同一の利き手のアイアンクラブを支持可能なアイアンクラブ支持部と、前記ウッドクラブ支持部と前記アイアンクラブ支持部のいずれか一方を上側にして前記支持部材に取り付け可能な支持部材取付部と、を備えることを特徴とする。
このように、１つの部材でウッドクラブとアイアンクラブの両方を支持できるため、従来のようにウッドクラブ用とアイアンクラブ用の２種類の支持具を製造する必要がない。
【０００８】
この場合において、前記ウッドクラブ支持部は、前記ウッドクラブのヘッドを支持するヘッド支持部と、該ヘッドの動きを規制するヘッド規制部と、を備えることが好ましい。また、前記アイアンクラブ支持部は、前記アイアンクラブのヘッドを支持するヘッド支持部と、該ヘッドの動きを規制するヘッド規制部と、を備えることが好ましい。
このように、ヘッドクラブ支持部とヘッド規制部とを備えることにより、ヘッドの動きが規制されるため、ヘッドの位置がずれるなどして見栄えが悪くなることを防ぐことができる。
【０００９】
また、前記ウッドクラブ支持部と前記アイアンクラブ支持部とはほぼ同形状であり、両支持部を結ぶ直線に垂直な平面に対して面対称となる位置に配置されていることが好適である。
このように、ウッドクラブ支持部とアイアンクラブ支持部がほぼ同形状であり、面対称となるように配置されているため、垂直軸を中心に１８０度回転することで、同一のゴルフクラブの右利き用と左利き用とを切り替えて支持することができる。
【００１０】
この場合において、前記ウッドクラブ支持部及び前記アイアンクラブ支持部はいずれも、底部と、前記底部から起立した第１の支持板と、前記底部から起立し前記第１の支持板に対向して配置された第２の支持板と、前記第２の支持板の側方に位置する突起と、前記底部から起立し前記第１の支持板から前記第２の支持板にかけて底部側に傾斜した傾斜部及び前記底部とほぼ平行な頂端を有する平坦部を有する傾斜板と、を備えており、前記第１の支持板、前記第２の支持板及び前記平坦部により前記ウッドクラブのネック側のヘッドが支持されるとともに、前記突起が前記ヘッドのフェースに対向して位置することでヘッドの動きを規制し、前記第１の支持板、前記第２の支持板及び前記平坦部により前記アイアンクラブのネック側のヘッドが支持されるとともに、前記傾斜部が前記ヘッドのフェースに対向して位置することでヘッドの動きを規制することが好ましい。
このように構成することで、ウッドクラブ支持部とアイアンクラブ支持部の両方を支持できるとともにヘッドの動きを規制することができる。
【発明の効果】
【００１１】
本発明によれば、ウッドクラブ用とアイアンクラブ用の２種類の支持具を製造することによるコストを低減することが可能なゴルフクラブ用支持具を提供することができる。
【図面の簡単な説明】
【００１２】
【図１】本発明の一実施形態に係るゴルフクラブ用支持具の斜視図である。
【図２】本発明の一実施形態に係るゴルフクラブ用支持具の斜視図である。
【図３】本発明の一実施形態に係るゴルフクラブ用支持具の下面図である。
【図４】本発明の一実施形態に係るゴルフクラブ用支持具で右利き用ウッドクラブを支持した状態を示した斜視図である。
【図５】本発明の一実施形態に係るゴルフクラブ用支持具で右利き用アイアンクラブを支持した状態を示した斜視図である。
【図６】本発明の一実施形態に係るゴルフクラブ用支持具で左利き用ウッドクラブを支持した状態を示した斜視図である。
【図７】本発明の一実施形態に係るゴルフクラブ用支持具で左利き用アイアンクラブを支持した状態を示した斜視図である。
【図８】ゴルフクラブ用支持具を陳列用の支持バーに取り付けた状態を示す斜視図である。
【図９】ゴルフクラブ用支持具を陳列用の支持バーに取り付けた状態を示す斜視図である。
【図１０】ゴルフクラブ用支持具を他の種類の支持バーに取り付けた状態を示す斜視図である。
【図１１】ゴルフクラブ用支持具を他の種類の支持バーに取り付けた状態を示す斜視図である。
【発明を実施するための形態】
【００１３】
本発明の一実施形態に係るゴルフクラブ用支持具について、図面に基づいて説明する。お、以下に説明する部材、配置等は、本発明を限定するものではなく、本発明の趣旨に沿って各種改変することができることは勿論である。
【００１４】
図１は本発明の一実施形態に係るゴルフクラブ用支持具を示す斜視図であり、図２は図１のゴルフクラブ用支持具を下方側からみた状態を示す斜視図、図３は図１のゴルフクラブ用支持具をＹ１−Ｙ２方向に見た状態を示す下面図である。
【００１５】
図１に示すように、本実施形態に係るゴルフクラブ用支持具１は、柱状の支持具本体１０と、支持具本体１０の長手方向（図１ではＹ１−Ｙ２方向）の一端側（図１ではＹ２側）に形成された第１の支持部２０と、支持具本体１０の長手方向の反対端側（図１ではＹ１側）に形成された第２の支持部３０と、支持具本体１０の中央部に形成された取付孔１１，１２と、を備えている。第１の支持部２０は、右手用ウッドクラブＷを支持する領域であって、かつ左手用アイアンクラブＩを支持する領域も兼ねている。一方、第２の支持部３０は、右手用アイアンクラブＩを支持する領域であって、かつ左手用ウッドクラブＷを支持する領域も兼ねている。すなわち、第１の支持部２０と第２の支持部３０のうちいずれか一方が本発明のウッドクラブ支持部に該当し、他方が同じ利き手のアイアンクラブ支持部に該当する。
【００１６】
支持具本体１０は、ほぼ方形状であり、図３に示すように３つの平面１０Ａ，１０Ｂ，１０Ｃを備えている。図１に示すように、支持具本体１０には、平面１０Ａから平面１０Ｃまで貫通する２つの取付孔１１，１２が形成されている。取付孔１１，１２は、本発明の支持部材取付部に該当する。本実施形態の取付孔１１，１２は、いずれも縦長矩形状であり、平面１０Ｂとほぼ平行に形成されている。図２に示すように、取付孔１１の平面１０Ｃ側には、取付孔１１を異なる高さに区切る薄肉状の仕切り１３が形成されている。また、取付孔１２の平面１０Ｃ側にも同様に、取付孔１２を異なる高さに区切る薄肉状の仕切り１４が形成されている。取付孔１１は、平面１０Ａから平面１０Ｃまでほぼ水平方向（図１のＺ１−Ｚ２方向）に貫通した水平孔であり、後述する直線型の支持バー（本発明の支持部材）に取付け可能となっている。また、取付孔１２は、平面１０Ａから平面１０Ｃまで傾斜して貫通した傾斜孔であり、後述する斜め型の支持バー（本発明の支持部材）に取付け可能となっている。
【００１７】
支持具本体１０の側面には、シャフト案内部１５が形成されている。シャフト案内部１５は、円環状の部材であり、支持具本体１０の平面１０Ａ側から平面１０Ｃ側に約９０度の角度で延出している。シャフト案内部１５の側端は開放端となっており、シャフト案内部１５の内周面１５ａで囲まれる領域は、シャフト案内溝１５ｂとなっている。このような構成により、後述するようにゴルフクラブのシャフトＷｓとシャフトＩｓを開放端から挿入してシャフト案内溝１５ｂ内に収容することができる。
【００１８】
支持具本体１０の側面のうちシャフト案内部１５の近傍には、窓部１６が形成されている。窓部１６は、支持具本体１０の平面１０Ａ方向から平面１０Ｃ方向に貫通するほぼ正方形状の孔である。窓部１６は、後述するようにゴルフクラブ用支持具１でゴルフクラブを支持したときにクラブのヘッドとシャフトの連結部分（ソケット）が位置する部分に形成されている。このため、ゴルフクラブを支持した状態でウッドクラブＷのソケットを窓部１６越しに目視で確認することができる。また、窓部１６は、不要な部分の部材を削除してゴルフクラブ用支持具１を軽量化する目的でも設けられている。
【００１９】
第１の支持部２０は、支持具本体１０から突出して形成された第１の支持板２１、第２の支持板２２、突起２３、傾斜板２４と、第１の支持板２１と第２の支持板２２とに囲まれた領域に形成された底部２５とを備えている。
【００２０】
第１の支持板２１は、支持具本体１０の平面１０Ａから上方に延出して形成されている。第２の支持板２２は、支持具本体１０の平面１０Ｃから上方に延出して形成されている。第１の支持板２１と第２の支持板２２は、いずれも板状部材であり、底部２５を挟んで互いに対向した位置に配設されている。突起２３は、角柱状の部材であり、第２の支持板２２の側部（平面１０Ｂとは反対側）に配設されている。傾斜板２４は、底部２５から起立し、第１の支持板２１から第２の支持板２２にかけて斜め下向きに傾斜した板状部材である。傾斜板２４のうち第１の支持板２１側は、頂端が斜め下向きに傾斜し側面視がほぼ三角形となる傾斜部２４ａであり、傾斜板２４のうち第２の支持板２２側は、頂端が底部２５とほぼ平行な平坦部２４ｂとなっている。
【００２１】
第２の支持板２２の頂端は、第１の支持板２１の頂端や突起２３の頂端よりも水平方向の高さが低い位置にある。また、傾斜板２４の平坦部２４ｂの頂端は、第２の支持板２２の頂端よりも低い位置にある。
【００２２】
支持具本体１０の平面１０Ａ側には、カード保持部２６が配置されている。カード保持部２６は、第１の支持板２１の下方側に配設されており、内側面が支持具本体１０の平面１０Ａと対向している。カード保持部２６の内側面と支持具本体１０の平面１０Ａには、それぞれ複数の嵌合片２６ａが形成されている。このような構成により、プライスカードやＰＯＰなどのシート状部材をカード保持部２６と支持具本体１０との間に挟み込んで保持することができる。
【００２３】
カード保持部２６の表面には、「Ｗ」の文字が記載されたウッドクラブ表示部２７が設けられている。ウッドクラブ表示部２７は、第１の支持部２０を上にしたときに「Ｗ」の文字が前面に位置するため、視認者に対してウッドクラブＷを載せて支持できることを示す役割を有している。
【００２４】
第２の支持部３０は、支持具本体１０から突出して形成された第１の支持板３１、第２の支持板３２、突起３３、傾斜板３４と、第１の支持板３１と第２の支持板３２とに囲まれた領域に形成された底部３５とを備えている。第２の支持部３０の第１の支持板３１、第２の支持板３２、突起３３、傾斜板３４は、それぞれ第１の支持部２０の第１の支持板２１、第２の支持板２２、突起２３、傾斜板２４とほぼ同じ形状の部材であるため、ここでは詳細な説明は省略する。
【００２５】
第１の支持板３１は、支持具本体１０の水平方向（図１のＸ１−Ｘ２方向及びＺ１−Ｚ２方向）と平行な水平面、すなわち支持具本体１０の長手方向に垂直な平面（水平面）に対して、それぞれ第１の支持板２１とは面対称となる位置に配置されている。この水平面は、第１の支持部２０と第２の支持部３０を結ぶ直線（図１のＹ１−Ｙ２）に対して垂直な面でもある。また、第２の支持板３２、突起３３、傾斜板３４も同様に、第２の支持板２２、突起２３、傾斜板３４と上記の水平面に対して面対称となる位置に配置されている。
【００２６】
支持具本体１０の平面１０Ａ側には、カード保持部３６が配置されている。カード保持部３６は、カード保持部２６とほぼ同じ形状であるため、ここでは詳細な説明は省略する。カード保持部３６は、支持具本体１０の水平方向（図１のＸ１−Ｘ２方向及びＺ１−Ｚ２方向）と平行な水平面に対して、カード保持部２６とは面対称となる位置に配置されている。カード保持部３６側にも嵌合片３６ａが形成され、シート状部材を挟んで保持することができる。
【００２７】
第２の支持板３２の外側表面には、「Ｉ」の文字が記載されたアイアンクラブ表示部３７が設けられている。アイアンクラブ表示部３７は、第２の支持部３０を上にしたときに「Ｉ」の文字が前面に位置するため、視認者に対してアイアンクラブＩを載せて支持できることを示す役割を有している。
【００２８】
次に、ゴルフクラブ用支持具１を使用してゴルフクラブを支持する方法について説明する。以下の例では、ゴルフクラブ用支持具１を展示棚の支持バーＢに取り付けてゴルフクラブを支持する態様について説明する。
【００２９】
図４は、ゴルフクラブ用支持具１で右利き用のウッドクラブＷを支持した状態を示している。まず、第１の支持部２０を上側にして支持具本体１０の取付孔１１に展示棚の支持バーＢを差し込んでゴルフクラブ用支持具１を支持バーＢに固定する。
【００３０】
次に、シャフト案内部１５の開放端側からウッドクラブＷのシャフトＷｓをシャフト案内溝１５ｂに挿入する。そして、ウッドクラブＷのヘッドのフェースＷｆが突起２３に対向するようにウッドクラブＷの位置を調整する。その状態でウッドクラブＷを第１の支持部２０に載置すると、ウッドクラブＷのネック付近の基部Ｗｂの外側に第１の支持板２１が位置し、ヒール側のフェースＷｆに突起２３が位置し、ネック側のクラウンＷｃが第２の支持板２２の上端面と傾斜板２４の平坦部２４ｂの上端面に載置される。このようにウッドクラブＷを載置することで、ヘッドが懸架された状態で支持されるとともに、ウッドクラブＷのヘッドの動きが突起２３により規制される。ウッドクラブＷのフェースＷｆは支持バーＢとほぼ平行となる。したがって、この場合、第１の支持板２１、第２の支持板２２、平坦部２４ｂが本発明のヘッド支持部に該当し、突起２３が本発明のヘッド規制部に該当する。
【００３１】
次に、ゴルフクラブ用支持具１に右利き用のアイアンクラブを支持する手順を説明する。図５は、ゴルフクラブ用支持具１で右利き用のアイアンクラブＩを支持した状態を示している。アイアンクラブを展示する場合は、図４のゴルフクラブ用支持具１の上下を反転させ、第２の支持部３０を上側にする。より詳細には、図１において左右方向の水平軸Ｘ１−Ｘ２を中心にＸｒ方向に回転させ、ゴルフクラブ用支持具１の上下を反転させる。この状態で、取付孔１１に支持バーＢを挿入する。
【００３２】
次に、シャフト案内部１５の開放端側からアイアンクラブＩのシャフトＩｓをシャフト案内溝１５ｂに挿入する。そして、アイアンクラブＩのヘッドのフェースＩｆが第１の支持板３１に対向するようにアイアンクラブＩの位置を調整する。その状態でアイアンクラブＩを第２の支持部３０に載置すると、ヘッドが懸架された状態で支持されるとともに、ヒール側のフェースＩｆに第１の支持板３１が位置し、キャビティＩｃの近傍に第２の支持板３２が位置し、ネック側のトップラインＩｔが底部３５に収容される。すなわち、第１の支持板３１と第２の支持板３２の間の領域にヘッドのトップラインＩｔ側が収容される。そして、傾斜板３４の平坦部３４ｂの頂端にネック側のトップラインＩｔが載置され、傾斜部３４ａがフェースＩｆの表面側に位置する。
【００３３】
傾斜部３４ａの上端面は、アイアンクラブＩのフェースＩｆのロフト角に近い角度で斜めに傾斜しているため、傾斜部３４ａの上端面に沿ってフェースＩｆが近接した位置となる。このため、アイアンクラブＩのヘッドがシャフトＩｓを中心に回転しようとしても、フェースＩｆが傾斜部３４ａの頂端に当接して回転が規制される。アイアンクラブＩのフェースＩｆは、支持バーＢとほぼ垂直となる。したがって、この場合、第１の支持板３１、第２の支持板３２、平坦部３４ｂが本発明のヘッド支持部に該当し、傾斜部３４ａが本発明のヘッド規制部に該当する。
【００３４】
以上のように、本発明のゴルフクラブ用支持具１では、第１の支持部２０と第２の支持部３０の位置を上下に入れ替えて支持バーＢに固定することで、１つの部材でウッドクラブＷとアイアンクラブＩの両方を支持することが可能となる。
【００３５】
図４と図５では、右利き用のゴルフクラブを支持する態様について説明した。本実施形態のゴルフクラブ用支持具１は、右利き用だけでなく左利き用のゴルフクラブも支持できる。以下、左利き用のゴルフクラブを支持する手順について説明する。
【００３６】
まず、左利き用のウッドクラブＷを支持する手順について説明する。図６は、ゴルフクラブ用支持具１で左利き用のウッドクラブＷを支持した状態を示している。左利き用のウッドクラブＷを支持するには、図４に示す右利き用のウッドクラブＷを支持する状態のゴルフクラブ用支持具１において、支持具本体１０の平面１０Ａと平面１０Ｃを結ぶ軸を中心に１８０度回転させて左右を反転する。より詳細には、図１において前後方向の水平軸Ｚ１−Ｚ２を中心にＺｒ方向に１８０度回転させ、ゴルフクラブ用支持具１の左右を反転させる。この状態で、取付孔１１に支持バーＢを挿入する。
【００３７】
この状態において、左利き用のウッドクラブＷを第１の支持部２０に載置して支持する。ウッドクラブＷの載置手順や載置後の各部材の配置などは、図４の場合と同様であるため、ここでは詳細な説明は省略する。
【００３８】
次に、左利き用のアイアンクラブＩを支持する手順について説明する。図７は、ゴルフクラブ用支持具１で左利き用のアイアンクラブＩを支持した状態を示している。左利き用のアイアンクラブＩを支持するには、図５に示す右利き用のアイアンクラブＩを支持する状態のゴルフクラブ用支持具１において、支持具本体１０の平面１０Ａと平面１０Ｃを結ぶ軸を中心に図１のＺｒ方向に１８０度回転させ、取付孔１１に支持バーＢを挿入する。
【００３９】
この状態において、左利き用のアイアンクラブＩを第１の支持部２０に載置して支持する。アイアンクラブＩの載置手順や載置後の各部材の配置などは、図５の場合と同様であるため、ここでは詳細な説明は省略する。
【００４０】
本実施形態のゴルフクラブ用支持具１は、種々の支持バーに取り付けて使用することができる。図８は、ゴルフクラブ用支持具１を直線型支持バーＢｓに複数取り付けた状態を示している。この図では、ゴルフクラブ用支持具１は、いずれも左利き用のウッドクラブＷを支持するように、直線型支持バーＢｓに取り付けられている。１つの直線型支持バーＢｓに対して４つのゴルフクラブ用支持具１が取り付けられており、それぞれのゴルフクラブ用支持具１は、ほぼ等間隔に配置されている。
【００４１】
先に述べたように、ゴルフクラブ用支持具１によってゴルフクラブのヘッドの動きが規制されるため、複数のゴルフクラブをほぼ一方向に揃えて展示することができ、展示の見栄えを良好にすることができる。なお、直線型支持バーＢｓの先端側には、カード支持機能も兼ね備えた端末部材Ｅが取り付けられており、ゴルフクラブ用支持部１が直線型支持バーＢｓから抜け落ちるのを防いでいる。
【００４２】
図９は、ゴルフクラブ用支持具１を直線型支持バーＢｓに複数取り付けた状態を示している。この図では、ゴルフクラブ用支持具１は、いずれも左利き用のアイアンクラブＩを支持するように、直線型支持バーＢｓに取り付けられている。１つの直線型支持バーＢｓに対して１０個のゴルフクラブ用支持具１が取り付けられており、それぞれのゴルフクラブ用支持具１は、ほぼ等間隔に配置されている。
【００４３】
アイアンクラブＩはヘッドの大きさがウッドクラブＷよりも小さく、また、図５に示すように本実施形態のゴルフクラブ用支持具１はアイアンクラブＩのフェースＩｆを支持バーＢに対してほぼ垂直に支持している。このため、図９では図８と比較してより密集した状態でゴルフクラブ用支持具１を直線型支持バーＢｓに取り付けることができる。これにより、無駄な展示スペースを少なくすることができる。
【００４４】
次に、本実施形態のゴルフクラブ用支持具１を異なる種類の支持バーに取り付けた態様について説明する。図１０は、ゴルフクラブ用支持具１を斜め型支持バーＢａに取り付けた状態を示している。本実施形態の斜め型支持バーＢａは、基端側（展示棚への取付側）が鉛直上方に起立しており、先端側が斜め下方向に傾斜した形状を有している。本実施形態のゴルフクラブ用支持具１は、取付孔１２が斜めに傾斜した孔であるため、斜め型支持バーＢａの斜めに傾斜した部分を取付孔１２に挿入して取り付けることができる。
【００４５】
図１１は、ゴルフクラブ用支持具１をアーム型支持バーＢｍに取り付けた状態を示している。本実施形態のアーム型支持バーＢｍは、基端側（展示棚への取付側）が鉛直上方に起立しており、先端側が斜め下方向に傾斜した板状部分と、傾斜した板状部分の側端面から水平方向に延びる３つのアーム部とから構成されている。アーム部は、棒状部材を先端Ｕ字型に屈曲して構成されており、その先端側からゴルフクラブ用支持具１を挿入することができる。このように、本実施形態のゴルフクラブ用支持具１は、板状ではない支持バーにも取り付けることが可能である。
【００４６】
以下、本発明の変形例について説明する。まず、本発明の支持部材としては、上述した実施形態のような平板状の支持バーＢ（図４）やアーム（図１１）に限定されず、横断面が丸、四角、三角などの他の形状であってもよい。
【００４７】
また、本発明の支持部材取付部としては、本実施形態のような取付孔１１や取付孔１２のような孔に限定されず、支持部材に取り付けられる態様であればどのようなものでもよい。このような支持部材取付部としては、例えば、支持部材に係合するクリップや面ファスナーなどでもよく、支持部材に接着する接着材や粘着テープなどでもよい。また、上述した実施形態では、ゴルフクラブ用支持具１を支持バーＢに着脱可能としており、支持バーＢへの取付位置を変更することで任意にウッドクラブ用とアイアンクラブ用の支持態様を切り替えられるようにしているが、このような実施態様に限定されず支持バーＢに対して不可逆的に取り付ける態様も可能である。
【００４８】
また、上述した実施形態では、第１の支持部２０と第２の支持部３０を面対称とすることで、前後方向の水平軸Ｚ１−Ｚ２を中心に回転することで、右利き用と左利き用の両方のゴルフクラブを支持できるようにしている。しかしながら、本発明ではこのように左右両方を兼用する態様ではなく、どちらか一方の利き手用に特化した態様としてもよい。さらに、上述した実施形態では、第１の支持部２０や第２の支持部３０などは支持具本体１０と一体に形成しているが、これらを別部材としてもよい。
【符号の説明】
【００４９】
１  ゴルフクラブ用支持具、１０  支持具本体、１０Ａ〜１０Ｃ  平面、１１  取付孔（支持部材取付部）、１２  取付孔（支持部材取付部）、１３  仕切り、１４  仕切り、１５  シャフト案内部、１５ａ  内周面、１５ｂ  シャフト案内溝、１６  窓部、２０  第１の支持部（右手用ウッドクラブ支持部兼左手用アイアンクラブ支持部）、２１  第１の支持板（ヘッド支持部）、２２  第２の支持板（ヘッド支持部）、２３  突起（ヘッド規制部）、２４  傾斜板、２４ａ  傾斜部（ヘッド規制部）、２４ｂ  平坦部（ヘッド支持部）、２５  底部、２６  カード保持部、２６ａ  嵌合片、２７  ウッドクラブ表示部、３０  第２の支持部（右手用アイアンクラブ支持部兼左手用ウッドクラブ支持部）、３１  第１の支持板、３２  第２の支持板、３３  突起、３４  傾斜板、３４ａ  傾斜部、３４ｂ  平坦部、３５  底部、３７  アイアンクラブ表示部、Ｗ  ウッドクラブ、Ｗｆ  フェース、Ｗｃ  クラウン、Ｗｂ  基部、Ｗｓ  シャフト、Ｉ  アイアンクラブ、Ｉｆ  フェース、Ｉｂ  基部、Ｉｔ  トップライン、Ｉｓ  シャフト、Ｂ  支持バー（支持部材）、Ｂｓ  直線型支持バー（支持部材）、Ｂａ  斜め型支持バー（支持部材）、Ｂｍ  アーム型支持バー（支持部材）、Ｘ１−Ｘ２  左右方向の水平軸、Ｙ１−Ｙ２  垂直軸、Ｚ１−Ｚ２  前後方向の水平軸
【図１】
2015136511.tif 000003
【図２】
2015136511.tif 000004
【図３】
2015136511.tif 000005
【図４】
2015136511.tif 000006
【図５】
2015136511.tif 000007
【図６】
2015136511.tif 000008
【図７】
2015136511.tif 000009
【図８】
2015136511.tif 000010
【図９】
2015136511.tif 000011
【図１０】
2015136511.tif 000012
【図１１】
2015136511.tif 000013